(57)【要約】【課題】常に水を安定供給できる放電と水を利用し、脱臭や殺菌を行う空気浄化装置を提供することを目的とする。【解決手段】放電電極１と対向電極２との間に高電圧を印加し、両電極間で放電させるとともに、前記放電電極１および／または前記対向電極２に、無給水で水を発生させる水発生手段４を設け、前記電極間に発生させた水と放電を利用し、ラジカルやイオン等、およびそれらを含んだ微細な水粒子を生成し放出させ、放出された領域の殺菌、脱臭、有害物質除去するとともに、前記放電電極１および／または前記対向電極２に安定して水を供給できるように、生成した水を溜めておく貯水部６を設けたことを特徴とするもので、室内環境が変化して低湿度環境になっても貯水部６に結露水があるため安定的に水は供給される。【選択図】図１
2006029691.tif 000002
【特許請求の範囲】
【請求項１】
放電電極と対向電極との間に高電圧を印加し、両電極間で放電させるとともに、前記放電電極および／または前記対向電極に、無給水で水を発生させる水発生手段を設け、前記電極間に発生させた水と放電を利用し、ラジカルやイオン等、およびそれらを含んだ微細な水粒子を生成し放出させ、放出された領域の殺菌、脱臭、有害物質除去するとともに、前記放電電極および／または前記対向電極に安定して水を供給できるように、生成した水を溜めておく貯水部を設けたことを特徴とする空気浄化装置。
【請求項２】
貯水部に不織布を設けたことを特徴とする請求項１記載の空気浄化装置。
【請求項３】
貯水部は、略円柱形状であることを特徴とする請求項１または２記載の空気浄化装置。
【発明の詳細な説明】
【技術分野】
【０００１】
本発明は、放電と水を利用し、空気中の悪臭物質や有害物質、さらに細菌やアレルゲン等の除去を行う空気浄化装置に関するものである。
【背景技術】
【０００２】
従来、放電と水を利用し、脱臭や殺菌を行う空気浄化装置は、水蒸気を放電領域部分に導入して、放電により高速飛散している電子と水分子との衝突や紫外線等により、酸化力の強いＯＨラジカルを生成し、悪臭成分や有害物質の分解、さらには空気中の菌・ウイルスなどの不活化やＤＮＡ・ＲＮＡの破壊等を行い繁殖を防止させている（例えば、特許文献１参照）。
【０００３】
また、水溜部の水を静電霧化させて酸化力の高いラジカルとともにそれを含んだ水を霧化し、室内へ放出し、室内空気や室内壁面等の付着臭の脱臭を行っているものもある（例えば、特許文献２参照）。
【特許文献１】特開２００１−９６１９０号公報
【特許文献２】特開２００４−８５１８５号公報
【発明の開示】
【発明が解決しようとする課題】
【０００４】
しかしながら、前記従来の装置は、水を水道配管から給水したり、水タンク等に入れてから放電部分まで給水することが必要であり、一度装置を取り付けると簡単に移動することができない。また水が無くなるとタンクに給水してやることが必要などの手間がかかるという課題を有していた。
【０００５】
そこで前記従来の課題を解決するため、放電電極と対向電極のどちらかまたは両方にペルチェ素子を使用し無給水で水を発生させ、前記電極間に高電圧を印加し放電させ、放電領域でより長寿命な酸化力の高いラジカルやイオン等、およびそれらを含んだ微細な水粒子を生成し、放電領域下流に放出させ、放出された領域の脱臭、殺菌、有害物質除去等を行うものを提案されている。
【０００６】
しかしながら、まわりの環境温湿度条件によっては、結露水があまり生成されない時や過剰に生成される時など、まわりの温湿度条件に左右されるため、長寿命な酸化力の高いラジカルやイオン等、およびそれらを含んだ微細な水粒子の発生量にもバラツキが発生するといった課題を有していた。
【０００７】
本発明は、前記従来の課題を解決するもので、常に水を安定供給できる放電と水を利用し、脱臭や殺菌を行う空気浄化装置を提供することを目的とする。
【課題を解決するための手段】
【０００８】
前記従来の課題を解決するために、本発明の空気浄化装置は、放電電極と対向電極との間に高電圧を印加し、両電極間で放電させるとともに、前記放電電極および／または前記対向電極に、無給水で水を発生させる水発生手段を設け、前記電極間に発生させた水と放電を利用し、ラジカルやイオン等、およびそれらを含んだ微細な水粒子を生成し放出させ、放出された領域の殺菌、脱臭、有害物質除去するとともに、前記放電電極および／または前記対向電極に安定して水を供給できるように、生成した水を溜めておく貯水部を設けたことを特徴とするもので、ペルチェ冷却側の結露する電極部分に生成された結露水を溜めておく凹部を電極部分に設けたことで、静電霧化現象で使用される水は０．１ｇ／ｈ程
度であり、必要運転時間分の凹部があれば、一度溜めておくと後は、ペルチェへ通電を止めておいても、充分静電霧化現象で脱臭、殺菌、有害物質除去等を行うことが可能である。
【０００９】
すなわち、室内環境が変化して低湿度環境になっても、貯水部に水があれば安定的に水は供給される。
【００１０】
また、溜まった水はそのまま貯水部に残される為、結露水が残っている間はペルチェ通電する必要はないため、省エネ効果もある。
【発明の効果】
【００１１】
本発明によれば、常に水を安定供給できる放電と水を利用し、脱臭や殺菌を行う空気浄化装置を提供できる。
【発明を実施するための最良の形態】
【００１２】
第１の発明は、放電電極と対向電極との間に高電圧を印加し、両電極間で放電させるとともに、前記放電電極および／または前記対向電極に、無給水で水を発生させる水発生手段を設け、前記電極間に発生させた水と放電を利用し、ラジカルやイオン等、およびそれらを含んだ微細な水粒子を生成し放出させ、放出された領域の殺菌、脱臭、有害物質除去するとともに、前記放電電極および／または前記対向電極に安定して水を供給できるように、生成した水を溜めておく貯水部を設けたことを特徴とするもので、室内環境が変化して低湿度環境になっても貯水部に結露水があるため安定的に水は供給される。
【００１３】
第２の発明は、貯水部に不織布を設けたことを特徴とするもので、生成した結露水は不織布に給水され保存されるため、傾斜のついた場所に設置してもこぼれることはなく、常に電極へ安定供給される。
【００１４】
第３の発明は、貯水部は、略円柱形状であることを特徴とするもので、角柱では表面張力でコーナー部に水が残り、結露水を最後まで十分使い取ることができない。略円柱にすることで、貯水部に溜まった結露水をすべて使い切ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気浄化装置の構成を示す断面図である。
【００１７】
図１において、１は放電電極、２は対向電極である。そして前記電極間に高電圧を印加し放電を発生させる高電圧印加装置３が接続されている。ペルチェ素子４は、高電圧印加装置３とともに通電される。放電電極１は、ペルチェ素子４の冷却面と密着しており、ペルチェ素子４に通電されると、放電電極１も熱伝導で冷却される。放電電極１は熱伝導性が重要であり、性能が左右される為、Ａｌでできている。
【００１８】
また、ペルチェ素子４の反対面である放熱側はヒートシンク５と密着しておりペルチェ素子４で発生する熱を放熱している。また図で示していないがペルチェ素子４と放電電極１、ペルチェ素子４とヒートシンク５の密着面には熱伝導性を良くする為、シリコン系の接着剤または充填剤が塗布してある。
【００１９】
以上のように構成された空気浄化装置について、以下その動作、作用を説明する。
【００２０】
水発生手段は、ペルチェ素子４で無給水で水を発生させるのもであり、冷却面側に放電電極１に密着させ設ける。これにより、放電電極１が露点以下の温度になると放電電極１の表面に結露水が発生する。例えば、温度が２２℃で湿度が３０％のとき、放電電極１が露点すなわち３．６℃以下の温度になると放電電極１の表面に結露水が発生する。
【００２１】
以上のように、ペルチェ素子４に通電することで、ペルチェ素子４の冷却面と密着している放電電極１は、冷却され露点以下となり結露することになる。この状態で放電電極１と放電電極２には高電圧印加装置３により高電圧が印加されているため、前記電極間には放電が発生しており、放電電極１の先端に静電気力による静電霧化がなされる。
【００２２】
このように連続運転していると、結露部分近辺が低湿度条件になった時、結露水の生成が消費量よりも少なくなってくるため、貯水部である凹部６を設けてある。この凹部６はペルチェ通電時に使用されない結露水を溜めておくことができるので、結露部分近辺が低湿度条件になった時、溜めておいた水を使うことができる。静電霧化現象で使用される水は０．１ｇ／ｈ程度であり、必要運転時間分の凹部があれば一度溜めておくと、後はペルチェへ通電を止めておいても充分静電霧化現象で脱臭、殺菌、有害物質除去等を行うことが可能である。すなわち、室内環境が変化して低湿度環境になっても凹部に水があれば安定的に水は供給される。
【００２３】
以上のように、本実施の形態において放電電極１の結露する周辺に凹部６を設けることにより、結露水を凹部６に溜めることができ、結露部分近辺が低湿度条件になり水生成が極端に少なくなった時使用することができる。
【００２４】
また、図２において、結露水を溜める凹部６の中に、吸水性の良好な不織布１７を設置してある。このようにすることで空気浄化装置の設置状態が傾くような場合でも結露水を溢すことはなくなり、結露水が外に流れだしたりしないようにすることができ、水の安定供給が可能となる。
【００２５】
また、図３において、空気浄化装置の凹部６は円柱状に加工してある。角柱では表面張力でコーナー部に水が残り、結露水を最後まで十分使い取ることができない。以上のように、円柱にすることで、凹部６に溜まった結露水をすべて使い切ることができる。
【産業上の利用可能性】
【００２６】
以上のように、本発明にかかる空気浄化装置は、結露水があまり生成されない時や過剰に生成される時など、まわりの温湿度条件に左右されやすく、それに伴い長寿命な酸化力の高いラジカルやイオン等、およびそれらを含んだ微細な水粒子の発生量にもバラツキが発生する。本発明により、常に水を安定供給することが可能となり、ペルチェの電気使用量も節約することも可能になることで、放電と水を利用し、空気中の悪臭物質や有害物質、さらに細菌やアレルゲン等の除去を行う空気浄化装置等の用途にも適用できる。
【図面の簡単な説明】
【００２７】
【図１】本発明の実施の形態１における空気浄化装置の模式図
【図２】同他の空気浄化装置の模式図
【図３】同他の空気浄化装置の斜視図
【符号の説明】
【００２８】
１  放電電極
２  対向電極
３  高電圧印加装置
４  ペルチェ素子（水発生手段）
５  ヒートシンク
６  凹部（貯水部）
１７  不織布
【図１】
2006029691.tif 000003
【図２】
2006029691.tif 000004
【図３】
2006029691.tif 000005